(57)【特許請求の範囲】
【請求項１】
海底まで吊下して前後左右に摺動させることによって、海底を清掃すると共に植生を養生する海底養生装置であって、吊下される懸吊部と、該懸吊部の下端に長手方向に複数本吊下された吊下チェーンと、該吊下チェーンの自由端から中間部にかけて吊下チェーンの間に渡されて取付けられた複数段の摺動錘から構成され、
前記摺動錘は軟鉄材料によって紡錘形に形成され、その表面に長軸方向に連続した複数の突起が形成されており、両端に回転を規制する係止部が備えられていることを特徴とする海底養生装置。
【発明の詳細な説明】
【０００１】
【発明の属する技術分野】
本発明は、海藻特に昆布の増殖を図るための海底養生装置に関する。
【０００２】
【従来の技術】
従来より、昆布等の生育を阻害する雑海藻等を除去する雑海藻駆除装置は種々の形態のものがあった。例えば、特開平７−９５８２９号公報には、図７に示すように、船体１０７からクレーン１０６で雑海藻駆除装置１００を海底に垂らして雑海藻を駆除するものが開示されている。図において、金属チェーン１０１が円板状の回転板１０２に固定され、駆動源１０５（油圧モータ）の回転軸に連結したシャフト１０３によって前記回転板１０２を回転駆動することによって、海底面Ａに垂らした前記チェーン１０１が海底面Ａを回転しながら摺動して雑海藻を駆除していた。また、海底面Ａに垂らす金属チェーン１０１の位置は船体１０７のクレーン１０６を上下動させることによって調整していた。更に、海底面Ａの突起１０８や岩１０９などの障害物に対してジョイント１０４が曲がり、金属チェーン１０１をスムーズに摺動させていた。
【０００３】
特開平６−２５３７１４号公報には、図８に示す雑海藻駆除装置が開示されている。図において、油圧ショベル１１０のアーム１１１先端のバケット１１２内に液密の油圧モータ室１１３を設置し、この油圧モータ室１１３内の油圧モータの回転軸と連結したチェーン回転盤１１４に雑海藻除去チェーン１１５を吊設して構成したものである。前記油圧ショベル１１０は走行台車１１６を海底面に沈め、この走行台車１１６上に油圧ショベル１１０を載置させて操業していた。
【０００４】
【発明が解決しようとする課題】
しかし、上記した従来の技術では、装置が駆動部を有するため複雑で高価であるばかりでなく、運用保守にもコストがかさむ問題があった。また昆布漁場等に於いては磯焼けと呼ばれる石灰質を生成する藻類の繁茂が問題となっていた。
【０００５】
本発明は、上記の問題に鑑みてなされたもので、ホンダワラなどの雑海藻、岩肌を硬質の石灰質層で覆う石灰藻類等を駆除すると共に、昆布の胚である遊走子の着生しやすい岩肌に岩礁を養生育成して、昆布増殖をはかることのできる海底養生装置を提供することを目的とする。
【０００６】
【課題を解決するための手段】
上記目的を達成するため、本発明は、海底まで吊下して前後左右に摺動させることによって、海底を清掃すると共に植生を養生する海底養生装置であって、吊下される懸吊部と、該懸吊部の下端に長手方向に複数本吊下された吊下チェーンと、該吊下チェーンの自由端から中間部にかけて吊下チェーンの間に渡されて取付けられた複数段の摺動錘から構成され、
前記摺動錘は軟鉄材料によって紡錘形に形成され、その表面に長軸方向に連続した複数の突起が形成されており、両端に回転を規制する係止部が備えられていることを特徴とする。
【０００８】
更に、前記懸吊部は、長手方向中央部に、連結部を設けると共に、下面に長手方向に離間して突設されて吊下チェーンを連結するための複数のフックを有している。
【０００９】
上記構成により本発明は、複数の吊下チェーンと、該吊下チェーンに取付けられた摺動錘を、海底に対して前後左右に摺動させることにより、海底に繁茂している雑海藻を搦め取ると共に、重量を有する複数の摺動錘が、海底岩に当接して繁茂している石灰藻類を剥ぎ取りあるいは破砕する。
【００１０】
更に前記摺動錘は、吊下チェーンに回動不能に取付けられていることにより、摺動時には海底と当接して、摩擦により回転力を貯えたり放出したり、揺動をくり返して岩肌に金属成分を塗り付けるように散分する。
【００１１】
【発明の実施の形態】
以下、本発明の実施の形態を図面に基づき、詳述する。
【００１２】
図１において、この実施例では、懸吊部１と、４本の吊下チェーン２と、該吊下チェーン２の自由端から中間部にかけて回動不能に取付けられた複数の摺動錘３とから構成してある。
【００１３】
前記懸吊部１は、図５に示すように鋼鉄製で上面が長方形のＴ字型とし、長手方向中央部に連結部１１を配設すると共に、下面に長手方向に離間して突設されて吊下チェーン２を連結するための４ケのフック１２を有している。
【００１４】
図６に示すように前記連結部１１は、油圧ショベル等の作業装置のアーム１３とリンク１４に回動可能に取付けられたアタッチメント１５と、ピン１６により取付けられる。
これにより、海底の深浅に応じて前記懸吊部１を上下させると共に、同一深度であっても海底の傾斜に応じて前後の角度を変えて、海底をすり動く吊下チェーン２と摺動錘３を地形に応じてくまなく摺動させることを可能とする。
【００１５】
吊下チェーン２は、金属製で堅牢かつ重量を有するものを用いることにより、海底に根を張って林立している雑海藻を搦め捕りながら摺動する。
【００１６】
図２（ａ）（ｂ）に示すように前記摺動錘３は両端に回転を規制する係止部３０が延出して設けられている。係止部３０は図２（ｂ）に示すように、丸棒状の上面と下面が平坦に加工されたかしめ面３３を持ち、吊下チェーン連結部材２１又は隣りあう摺動錘３と連結パイプ２２でカシメ止めで連結される。  この実施例では摺動錘３を水平に３ケ連接して一体化し、両端を２本の隣り合う吊下チェーン２とを渡して連結することで横に幅広い範囲を一度に摺動させることができる。
【００１７】
前記摺動錘３は、図２に示すように、軟鉄材料で紡錘形に形成し、紡錘形の外周表面に長軸方向に連続した８ケの突起３１を設け、図３に示す頂部３２が平面をもつ歯車断面とすることにより、海底の岩礁と当接したとき、凹凸で弾くように吊下チェーン２と共に揺動し、石灰藻等の硬いカラを破砕すると共に、軟鉄成分の金属痕を岩肌につける。この動きにより軟鉄成分を海底に散分する。
【００１８】
吊下チェーン２に連結された摺動錘３の動きについて説明する。摺動錘３は摺動時には海底と当接した摩擦により、先ず前方に回転させる力が働き、このため吊下チェーン２を後方へ巻き込む動きをするが、やがて引きずる力が摩擦力を超え  、進行方向と逆に突起３１が海底を削るように戻る。このような動きを繰返しながら海底を揺動する。
（作業工程の説明）次に本海底養生装置の作動について説明する。図３に示すように作業時には、作業台船Ａの甲板上に、油圧ショベルＢを搭載し、作業現場まで移動する。
【００１９】
作業開始に際しては、まず海底の深度に合わせ油圧ショベルのアームを下ろし、図４に示すように摺動錘３が海底をかき摺るように吊下げ、アーム１３を前後左右に動かすことにより作業を行う。
【００２０】
【発明の効果】
以上詳細に説明したように本発明は、単純な部材で構成されているためコストがかからない。のみならず、故障個所がなく保守作業を要しない。
【００２１】
また、複数本の吊下チェーンを離間して取付けているため幅広い範囲を摺動させることができるばかりでなく、複数段の摺動錘を引き摺るため、石灰藻類などの岩肌に密着して植生している昆布の増殖を阻害する海藻をかき取る機会が多くなり、作業効率が良く、海底岩礁の清掃状況も良好となる。
【００２２】
加えて、摺動錘に設けられた断面歯車状の突起が海底の岩礁やゴロタ石と当接し、摩擦により回転力を貯えて、揺動することで岩肌に金属成分を散分することで昆布の胚である遊走子の着生を促進することにより、胞子体である昆布の増殖をもたらす。
【図面の簡単な説明】
【図１】海底養生装置の正面図。
【図２】（ａ）摺動錘の正面図、（ｂ）該摺動錘の断面図。
【図３】作業の状況を示す模式図。
【図４】海底養生装置の作動状況を示す模式図。
【図５】懸吊部の斜視図。
【図６】連結部と作業装置との連結状態を示す正面図。
【図７】従来技術の一実施例。
【図８】他従来技術の一実施例。
【符号の説明】
Ａ  海底面，作業台船
Ｂ  油圧ショベル
１  懸吊部
２  吊下チェーン
３  摺動錘
１１  連結部
１２  フック
１３  アーム
１４  リンク
１５  アタッチメント
１６  ピン
２１ チェーン連結部材
２２ 連結パイプ
２３ チェーン連結部材
３０ 係止部
３１  突起
３２  頂部
３３ かしめ面
１００  雑海藻駆除装置
１０１  金属チェーン
１０２  回転板
１０３  シャフト
１０４  ジョイント
１０５  駆動源（油圧モータ）
１０６  クレーン
１０７  船体
１０８  突起
１０９  岩
１１０  油圧ショベル
１１１  アーム
１１２  バケット
１１３  油圧モータ室
１１４  チェーン回転盤
１１５  雑海藻除去チェーン
１１６  走行台車
【図１】
0004061755.tif 000002
【図２】
0004061755.tif 000003
【図３】
0004061755.tif 000004
【図４】
0004061755.tif 000005
【図５】
0004061755.tif 000006
【図６】
0004061755.tif 000007
【図７】
0004061755.tif 000008
【図８】
0004061755.tif 000009